(57)【要約】      （修正有）【課題】土地勘のない地域であっても、使用者が地図上ですばやく簡単に移動条件に応じた所要時間を知り、距離感を掴むことのできる縮尺スケールを提供する。【解決手段】縮尺スケール本体１の目盛り部分を用途４で色分けし、地図の名称３を記載する。また、距離の単位目盛り５だけでなく、その距離に該当する起点となる地名６、起点からの距離に該当する地名７、移動条件８と移動条件に応じた所要時間９を記載する。該当する縮尺率のスケールがない場合に、使用者自身が地図の縮尺目盛りを転記できるように、また、その他必要に応じた情報（使用者独自の移動条件に応じた所要時間、距離に該当する地名）を書き込めるように、スペースを用意し、ペン等で記載できる素材にする。【選択図】図１
0003149485.tif 000002
【実用新案登録請求の範囲】
【請求項１】
地図読み取り用の縮尺スケール本体に、距離の単位目盛りだけでなく、距離に該当する「地名」、「移動条件と移動条件による所要時間」の一方又は両方を記載することで、簡単に距離感を掴めることを特徴とする縮尺スケール
【請求項２】
前項本体が筆記具で書き込める素材である請求項１の縮尺スケール
【請求項３】
前項本体に地図の名称が書かれている請求項１の縮尺スケール
【請求項４】
前項本体の目盛り部分が用途により色分けされている請求項１の縮尺スケール
【請求項５】
前項本体が平板または折ることで平板状になる請求項１の縮尺スケール
【考案の詳細な説明】
【技術分野】
【０００１】本考案は地図での読み取りにおいて、使用者がすばやく簡単に移動条件に応じた所要時間を知り、距離感を掴むことのできる縮尺スケールに関するものである。
【背景技術】
【０００２】土地勘のない地域でのドライブやツーリング、旅先での散策、山歩き、サイクリングにおいて、地図上で所要時間を知ろうとするとき、まず、距離を知ってから、移動条件による時速で、所要時間を算出している。【０００３】これまでにも図面、又は地図から距離を知る道具として、様々な縮尺率の目盛りを備えた縮尺スケールは存在している。その一つとして、所謂三角スケール（三角柱の各面に異なる縮尺目盛りを表示したもの）があり、さらに多くの種類の縮尺目盛りを持つものとして、特開２００３−２４６１９２号公報に示されている、８種類の縮尺目盛りを有する四角柱状のスケール、特開平１０−２６５０１号公報に示されている、さらに多種類の縮尺目盛りを有する縮尺スケールがある。【０００４】前記の、三角スケールは主に建築用であり、一般的な地図の縮尺率とは異なり、地図の読み取りには不向きである。前記その他の縮尺率のスケールは普及しておらず、使用者に必要な縮尺率のスケールがない場合が多い。したがって、実際は、地図に書かれた目盛りを目安に指で測る、目算する、汎用しているミリ単位の実寸定規をあて、地図の縮尺率に基づいて計算する、という方法が行われている。
【考案の開示】
【考案が解決しようとする課題】
【０００５】出発地から目的地までの所要時間を知るのに、距離を知ってから、移動条件による時速で算出するのは手間であった。本考案はこの問題点を解決し、一気に所要時間を知り、距離感を掴むことができるようになされたものである。【０００６】前記の文献例のように多くの縮尺率に対応するスケールの提案がなされているが、スケール本体に表示される縮尺率の数が多ければ多いほど、使用者が必要な縮尺目盛りを探しにくい。本考案はこの問題点を解決し、すばやく該当する縮尺率の目盛りを探すことができるようになされたものである。【０００７】地図の縮尺率は建築図面のように規格化されておらず、使用者に必要な縮尺率のスケールがないことが多い。前記の、指で測る方法や目算する方法では大雑把であり、また、縮尺率に基づいて計算するのは手間であり、すばやく適正な距離感を掴むのは難しい。
本考案はこの問題点を解決し、使用者が必要な縮尺率のスケールがなくても、地図上ですばやく所要時間を知り、距離感を掴むことができるようになされたものである。【０００８】土地勘は各個人の経験的記憶の積み重ねで、均一化することはできない。また所要時間に関わる移動条件も多種多様であり、同じ情報（特定の地名や移動条件）ですべての人がすばやく距離感を掴むのは難しい。本考案はこの問題点を解決し、使用者の土地勘で、また特殊な移動条件でも、地図上ですばやく所要時間を知り、距離感を掴むことができるようになされたものである。
【課題を解決するための手段】
【０００９】本考案は地図読み取り用縮尺スケール本体に、縮尺された距離単位の目盛り以外に、その距離に該当する「地名（地名とは土地の名称、建物の名称、固有名を含む）」、「移動条件（移動条件とは車、自転車、バイク、徒歩という手段と街中、高速、一般道路、下道、山道、上り坂、下り坂をいう）と移動条件に応じた所要時間」の一方又は両方を記載することで、距離から所要時間を算出するのに手間がかかるという問題を解決している。例えば、大阪南部に住んでいる人が初めてバイクで九州旅行をするとき、縮尺スケールで距離だけを示されるより、自分の知る地名で（梅田〜天王寺というように）表示されたほうが所要時間や距離感を掴みやすい。また、海外旅行での散策においても、「移動条件と移動条件に応じた所要時間」で歩いて１０分というように示されたほうが直接的にすばやく距離感を掴むことができる。【００１０】本考案は地図読み取り用縮尺スケール本体の目盛り部分を用途（用途とは地図の名称、縮尺率、移動条件を含む）によって色分けすることで、該当する縮尺率のスケールを探しにくいという問題を解決している。【００１１】本考案は地図読み取り用縮尺スケール本体に、読み取ろうとする地図の縮尺率の目盛りと距離を転記できるように、また、ローカルな土地勘を持つ人や特殊な条件で移動する人が必要に応じて情報（使用者の土地勘での距離に該当する地名、移動条件に応じた所要時間等）を書き込めるように、スペースを用意し、筆記具で記載できる素材とすることで、該当する縮尺率のスケールがない、土地勘や移動条件が多様であるという問題を解決している。
【考案の効果】
【００１２】上記のように本考案の距離感スケールを使用することで、出発地から目的地までの、移動条件に応じた所要時間をすばやく簡単に知り、距離感を掴むことができ、土地勘のない地域での行動計画をすばやく簡単に立てることができる。
【考案を実施するための最良の形態】
【実施例】
【００１３】以下、添付図面に従って実施例を説明する。
図１は本考案の目盛り部分で、大阪の土地勘があり、バイクで移動する人向けの距離感スケールである。５は距離の単位目盛りで、８は移動条件、９は移動条件に応じた所要時間である。例えば、バイクで一般道を走るときは時速３０ｋｍ、郊外を走るときは時速６０ｋｍ、高速道路を走るときは時速１００ｋｍで計算されるので、それに基づいて算出した所要時間を明記することで、すばやく距離感を掴むことを可能としている。また、６が起点となる地名（ここでは松原）で、７が起点からの距離に該当する地名（ここでは天理）であり、土地勘に基づいて距離感を掴むこをができる。【００１４】図２は本考案の目盛り部分。大阪の土地勘のある人向け距離感スケールである。５は距離の単位目盛りで、６は起点となる地名（ここでは梅田）を起点とし、７は起点からの距離に該当する地名（ここでは本町、なんば、天王寺）であり、土地勘に基づいて距離感を掴むことができる。また、地図の名称３を記載し、色４を分けることによって、読み取ろうとする地図の縮尺目盛りをすばやく見つけることを可能としている。【００１５】図３は本考案の目盛り部分。ローカルな土地勘を持つ人向けの距離感スケールで、使用者の土地勘で、距離に該当する、使用者が知る地名を書き込むことができる。５は距離の単位目盛りで、１０は筆記具で書き込み可能なスペースである。自分なりに必要な情報を書き込むことで、よりすばやく距離感を掴むことを可能としている。【００１６】図４は本体スケールを六角柱にし、上下裏表回転させ、異なる縮尺目盛り部分の境界を折ることで平板状になり、１２通りの縮尺目盛りを有する。用途により色分け４されており、読み取ろうとする地図の縮尺目盛りをすばやく見つけることができる。【００１７】図５は本体スケールを四角柱にし、上下裏表回転させ、異なる縮尺目盛り部分の境界を折ることで平板状になり、８通りの縮尺目盛りを有する。用途により色分け４されており、読み取ろうとする地図の縮尺目盛りをすばやく見つけることができる。【００１８】図６は本体スケールをジャバラ型にし、上下裏表回転させ、異なる縮尺目盛り部分の境界を折ることで平板状になり、複数の縮尺目盛りを有する。用途により色分け４されており、読み取ろうとする地図の縮尺目盛りをすばやく見つけることができる。
【産業上の利用可能性】
【００１９】本考案は、地図上で、すばやく簡単に出発地から目的地までの所要時間を知り、距離感を掴むことができる測定具であって、産業上の利用可能性を有するものである。
【図面の簡単な説明】
【００２０】
【図１】本考案の実施例を示す、「移動条件と移動条件に応じた所要時間」、距離に該当する「地名」から距離感を掴もうとする縮尺スケールの目盛り部分の平面図である。
【図２】本考案の実施例を示す、距離に該当する「地名」から距離感を掴もうとする縮尺スケールの目盛り部分の平面図（一部）である。
【図３】本考案の実施例を示す、使用者が自分の土地勘で、その距離に使用者が知る「地名」を書き込み、また該当する縮尺スケールがない場合、読み取ろうとする地図の目盛りを転記できるスペース１０を持つ縮尺スケールの目盛り部分の平面図（一部）でる。
【図４】本考案の実施例を示す、六角形の縮尺スケールの斜視図である。異なる縮尺目盛り部分の境界を折ることで平板状になる。
【図５】本考案の実施例を示す、四角形の縮尺スケールの斜視図である。異なる縮尺目盛り部分の境界を折ることで平板状になる。
【図６】本考案の実施例を示す、ジャバラ型の縮尺スケールの斜視図である。異なる縮尺目盛り部分の境界を折ることで平板状になる。
【符号の説明】
【００２１】  １  縮尺スケール本体
２  縮尺率
３  地図の名称
４  用途又は縮尺率による色分け
５  距離の単位目盛り
６  起点となる地名
７  起点からの距離に該当する地名
８  移動条件
９  移動条件に応じた所要時間
１０筆記具で書き込み可能なスペース
【図１】
0003149485.tif 000003
【図２】
0003149485.tif 000004
【図３】
0003149485.tif 000005
【図４】
0003149485.tif 000006
【図５】
0003149485.tif 000007
【図６】
0003149485.tif 000008